(57)【要約】 【構成】  自動倉庫２のラック４，４で、前部ラック支柱１２，後部ラック支柱１４，外壁用支柱１６を同じ面内に配置し、これらを連結する。左右の後部ラック支柱１４を連結する連結部材２５に整流板２４を取り付け、左右の外壁用支柱１６を連結する連結部材２７に外壁２６を取り付ける。【効果】  ラックの施工性が向上し、整流板や外壁の取付を利用して、左右の後部ラック支柱や左右の外壁用支柱を連結できる。【選択図】    図１
2005060015.tif 000002
【特許請求の範囲】
【請求項１】
物品の収納部の背面側にエア用のダクトを設けたラックであって、前後一対のラック支柱と前記外壁用支柱の３本の支柱を、同じ鉛直面内に順に配置してこれらを互いに連結すると共に、前記前後一対のラック支柱により棚受けを支持し、かつ後部ラック支柱により前記ダクトとの間の整流板を支持し、前記外壁用支柱によりラックの外壁を支持して、後部ラック支柱と外壁用支柱との間のスペースをダクトとしたことを特徴とする、ラック。
【請求項２】
前記後部ラック支柱を左右に互いに連結する連結部材を設けて、該連結部材に前記整流板を取り付けると共に、前記外壁用支柱を左右に互いに連結する第２の連結部材を設けて、該第２の連結部材に前記外壁を取り付けたことを特徴とする、請求項１のラック。
【請求項３】
前記外壁用支柱と前記後部ラック支柱をラックの高さ方向に沿って複数個所で連結すると共に、外壁用支柱と後部ラック支柱間の最下部の連結部材により、前記ダクトの底板を支持するようにしたことを特徴とする、請求項１または２のラック。
【発明の詳細な説明】
【技術分野】
【０００１】
この発明はクリーンルーム用などのラックに関し、特にラックの物品収納部へクリーンエアを供給するためのダクトの取り付け構造に関する。
【背景技術】
【０００２】
クリーンルームなどで用いるラックでは、ラックの背面側にダクトを設けて、クリーンエアの供給に用いる場合がある。このような場合、ラックとダクトは別々の構造物として施工されるので、施工性が悪い。
【発明の開示】
【発明が解決しようとする課題】
【０００３】
この発明の基本的課題は、ラックの施工性を向上させると共に、ラックの組立精度や剛性を高めることにある。
請求項２の発明での追加の課題は、整流板や外壁の取付を利用して、ラックの剛性をさらに高めることにある。  
請求項３の発明での追加の課題は、後部ラック支柱と外壁用支柱の連結を利用して、ダクトの底板の設置を容易にすることにある。
【課題を解決するための手段】
【０００４】
この発明のラックは、物品の収納部の背面側にエア用のダクトを設けたラックであって、前後一対のラック支柱と前記外壁用支柱の３本の支柱を、同じ鉛直面内に順に配置してこれらを互いに連結すると共に、前記前後一対のラック支柱により棚受けを支持し、かつ後部ラック支柱により前記ダクトとの間の整流板を支持し、前記外壁用支柱によりラックの外壁を支持して、後部ラック支柱と外壁用支柱との間のスペースをダクトとしたことを特徴とする（請求項１）。
【０００５】
好ましくは、前記後部ラック支柱を左右に互いに連結する連結部材を設けて、該連結部材に前記整流板を取り付けると共に、前記外壁用支柱を左右に互いに連結する第２の連結部材を設けて、該第２の連結部材に前記外壁を取り付ける（請求項２）。
また好ましくは、前記外壁用支柱と前記後部ラック支柱をラックの高さ方向に沿って複数個所で連結すると共に、後部ラック支柱と外壁用支柱間の最下部の連結部材により、前記ダクトの底板を支持する（請求項３）。
【０００６】
この明細書で支柱の前後は、ラックから物品を出し入れする側が前、ラックの奧側が後ろとし、左右は前後方向と直角な水平方向で、例えばラックの長手方向である。
【発明の作用と効果】
【０００７】
この発明のラックでは、前後一対のラック支柱と外壁用支柱とが連結され、かつこれらは同じ鉛直面内にあるので、ラックの剛性が高く、施工も容易で、しかも３本の支柱の位置を揃えられるので、ラックの組立精度も高い。そしてダクトのスペースを後部ラック支柱と外壁用支柱との間に確保でき、整流板は後部ラック支柱で支持できるので、整流板の取付が簡単になる。前後一対のラック支柱と外壁用支柱を同じ面内に配置するので、これらを予め面状のユニットとして組み立ててからラックを施工することもできる。
【０００８】
請求項２の発明では、整流板の取付を利用して左右の後部ラック支柱を連結でき、外壁の取付を利用して左右の外壁用支柱を連結できるので、ラックの剛性をさらに高めることができる。
請求項３の発明では、外壁用支柱と後部ラック支柱を複数の高さで連結してラックの剛性を高め、かつ最下部の連結部材でダクトの底板を支持することにより、底板の設置を容易にする。
【発明を実施するための最良の形態】
【０００９】
以下に本発明を実施するための最適実施例を示す。
【実施例】
【００１０】
図１〜図８に、実施例とその変形とを示す。これらの図において、２は自動倉庫で、例えば左右一対のラック４，４を備え、左右のラック４，４は上部に設けた梁６などにより連結されている。ラック４，４の間には、搬送装置の例としてのスタッカークレーン８などを設け、１０はスタッカークレーン８が走行するための搬送スペースで、ラック４からの排気通路を兼ねている。なおラック４は、自動倉庫２とは別に、例えば他の搬送装置と組み合わせて単独で設置しても良い。
【００１１】
１２は前部ラック支柱，１４は後部ラック支柱で、これらをブレス１８や棚受け２０並びに補助梁２１などで連結してラック４とする。また前部ラック支柱１２や後部ラック支柱１４と同じ鉛直面内に、ラック４の後側（奥側）の位置に、外壁用支柱１６を設ける。このように、ラック支柱１２，１４，及び外壁用支柱１６は鉛直面内で同じ面内にあり、３本の支柱１２，１４，１６の床面への設置位置は直線上にある。
【００１２】
なお前部ラック支柱１２や後部ラック支柱１４に対して、メインラック支柱とサブラック支柱などのように種別を設ける場合、例えばメインラック支柱の奥側にのみ外壁用支柱１６を設けて、サブラック支柱の奥側には外壁用支柱１６を設けなくても良い。外壁用支柱１６は、後部ラック支柱１４に高さ方向の複数の位置で連結部材２２により連結されている。実施例では、ラック４の上端部と下端部とにそれぞれ連結部材２２を設けた。３本の支柱１２，１４，１６を同じ面内に配置したので、これらを工場や施工現場などで予め連結してユニットとした後に、このユニットを所定のピッチで設置してラック４を組み立てることができる。
【００１３】
上下の連結部材２２のうちで、下側の連結部材２２の例えば上部に、底板２３を設置する。また後部ラック支柱１４を利用して整流板２４を設置し、外壁用支柱１６を利用して外壁２６を設置する。２５は、整流板２４を後部ラック支柱１４に取り付け、同時に左右の後部ラック支柱１４を連結する連結部材である。２７は外壁用支柱１６に外壁２６を取り付け、かつ左右の外壁用支柱１６を連結するるための連結部材である。
【００１４】
整流板２４や外壁２６の取付に、連結部材２５，２７を用いることにより、支柱１４，１６を左右で互いに連結して、ラック４の剛性を高める。整流板２４は、例えば金属板にパンチング孔を設けたパンチングメタルや、メッシュ、精密整流板、あるいはフィルタファンユニット（ＦＦＵ）や、フィルタファンユニットからファンを除いたフィルタユニットなどに内蔵の整流板とする。
【００１５】
図２，図３に示すように、連結部材２５は後部ラック支柱１４にガセットプレート３０などを利用して取り付け、連結部材２５は例えばその４面もしくは対向する２面に溝３２を設けた金属の棒状もしくは筒状部材とし、溝３２はその開口が狭く、奥側が広くなっており、摺動部材３４を保持する。ガセットプレート３０はボルト３６などにより後部ラック支柱１４に固着し、連結部材２５はボルト３８と摺動部材３４などを用いてガセットプレート３０に取り付け、整流板２４はボルト４０と摺動部材３４などで連結部材２５に取り付ける。
【００１６】
図４に、変形例の整流板４２を示す。整流板４２はパンチングメタル４４に角筒状の連結部材４６を取り付けたもので、ガセットプレート３０にボルト３８などで取り付け、ガセットプレート３０はボルト３６などで後部ラック支柱１４に取り付ける。
【００１７】
図５に、外壁２６の取付と、底板２３の取付を示すと、外壁２６は例えば整流板２４と同様にして外壁用支柱１６に取り付ける。例えば図５では、ガセットプレート５０を外壁用支柱１６に取り付け、角筒状の連結部材２７に外壁２６を取り付けて、連結部材２７をガセットプレート５０に取り付ける。なおプロファイルなどの型部材を用いて、図３と同様にして外壁２６を外壁用支柱１６に取り付けても良い。連結部材２５，２７の支柱１４，１６への取り付け方法自体は任意である。
【００１８】
５１，５１は上面視でＬ字状のフランジで、後部ラック支柱１４と外壁用支柱１６などに取り付け、フランジ５１に連結部材２２をボルト５４などで固着する。連結部材２２は例えばＨ字鋼などを用い、上側のプレート部５５を用いて底板２３を支持する。上記のようにすると、外壁２６の取付を用いて、左右の外壁用支柱１６を連結でき、連結部材２２を用いて底板２３を支持できる。
【００１９】
自動倉庫２の設置について説明する。自動倉庫２は例えばクリーンルーム内に設けるが、これに限るものではない。そして前部ラック支柱１２と後部ラック支柱１４並びに外壁用支柱１６が同じ面内に位置するので、工場や現場などで、これらの支柱を補助梁２１や連結部材２２並びにブレス１８などにより互いに連結しておくことができる。そこでこのような連結済みの３本の支柱１２，１４，１６からなるユニットを組立の単位とし、このユニットを鉛直面内に所定のピッチで設置して、連結部材２５，２７により左右に連結すると、自動倉庫２の基本構造が得られる。そして左右のラック４，４を梁６により連結すると、自動倉庫２の骨組みができる。例えばこれらの後に整流板２４や外壁２６を取り付け、また棚受け２０や底板２３などを設置する。これらとは別に、スタッカークレーン８の走行レールなどを敷設し、梁６の上部を図示しない屋根などで覆うと、自動倉庫２が得られる。
【００２０】
図６〜図８に、自動倉庫２，７２，８２での、エアの循環経路を示す。図６の自動倉庫２では、外壁用支柱１６と後部ラック支柱１４との間の上面を開口６２とし、図示しないクリーンルームからのクリーンエアを、開口６２からダクトスペース６０へ取り入れる。クリーンエアは整流板２４を介してラック４の物品の収納部６４へ流れ、ここから搬送スペース１０へ排出され、排気部６６などからクリーンルームの床下に排気される。
【００２１】
図７の自動倉庫７２では、整流板２４としてフィルタファンユニット７０の整流板を用い、フィルタファンユニット７０から収納部６４へ供給したクリーンエアを搬送スペース１０から回収して、ダクトスペース６０へ戻して循環させる。図７の構造の場合、自動倉庫７２をクリーンルームの外部に設けることもできる。なお底板２３は通気性のない底板で、底板７３はメッシュやパンチングプレートなどの通気性のある底板である。なおフィルタファンユニット７０は、例えば図1と同様に連結部材２５に取り付ける。
【００２２】
図８の自動倉庫８２では、ダクトスペース６０の下部、例えば底板７３の下側にフィルタファンユニット８０を設け、ダクトスペース６０から収納部６４へクリーンエアを供給し、搬送スペース１０へ排気して、フィルタファンユニット８０で浄化してダクトスペース６０へと循環させる。なおフィルタファンユニット８０はラック４の底部などに設置することもできる。
【００２３】
図９に、ラック支柱１４へのパンチングメタル形の整流板２４の取付の変形例を示す。図において、８２は適宜の形状の形鋼で、溶接などによりラック支柱１４の外壁用支柱１６側の面に取り付ける。形鋼８２の外壁用支柱１６寄りには突起８３があり、下側の整流板２４ａの上端を折り曲げた係止部８４を突起８３に引っ掛けて係止し、上側の整流板２４ｂの下端を当接部８６として、係止部８４の外側に当接させる。ボルト９０とナット９２などの締結具を、例えばパンチング孔２８を利用して、上側の整流板２４ｂに取り付け、金属などの挟み込み部材８８と当接部８６との間に、係止部８４を挟み込む。このようにすると、下側の整流板２４ａが突起８３から外れるのを防止すると共に、上側の整流板２４ｂのバタツキも防止できる。なお整流板２４ａ，２４ｂは同じ部材で、図示の便宜上、下側の整流板２４ａと、上側の整流板２４ｂを別の部材のように示した。また形鋼８２に変えて、適宜の係止具をラック支柱１４に取り付けて、係止部８４を係止しても良い。施工上はラック支柱１４間を連結するように、形鋼８２を取り付け、整流板にはボルト９０や挟み込み部材８８を予め仮止めしておく。ラックの下側から上側の順で整流板を係止部８４を突起８３に係止し、その上の整流板を取り付ける際に、ナット９２を締めて、挟み込み部材８８と当接部８６で係止部８４を挟み込む。
【００２４】
実施例では、前後のラック支柱１２，１４と外壁用支柱１６を同じ面内に配置するので、例えばこれらをユニットとして先に連結してから、ラック４を組み立てることができる。このためラック４の施工が容易になる。また３本の支柱１２，１４，１６が同じ面内にあるので、ラック４に対する外壁用支柱１６の位置精度も向上する。整流板２４や外壁２６の取付を利用して、連結部材２５，２７により左右の後部ラック支柱１４や左右の外壁用支柱１６を連結できるので、ラック４の剛性が増す。さらに後部ラック支柱１４と外壁用支柱１６とを連結する連結部材２２を用いて底板を設置できるので、底板の設置が容易になる。
【図面の簡単な説明】
【００２５】
【図１】実施例のラックの正面図
【図２】実施例のラックでの、後部ラック支柱に整流板を取り付けた状態を前部ラック支柱側から見て示す図
【図３】実施例のラックでの、後部ラック支柱への整流板の取付部を示す図
【図４】後部ラック支柱への整流板の取付の変形例を示す図
【図５】後部ラック支柱と外壁用支柱との連結を示す図
【図６】実施例のラックでの、エアの循環を示す図
【図７】実施例のラックで、収納部の背面にＦＦＵを設けた例を示す図
【図８】実施例のラックで、ダクトの底面にＦＦＵを設けた例を示す図
【図９】ラック支柱への整流板の取付の別の変形例を示す図
【符号の説明】
【００２６】
２，７２，８２    自動倉庫
４                ラック
６                梁
８                スタッカークレーン
１０              搬送スペース
１２              前部ラック支柱
１４              後部ラック支柱
１６              外壁用支柱
１８              ブレス
２０              棚受け
２１              補助梁
２２              連結部材
２３，７３        底板
２４              整流板
２６              外壁
２５，２７        連結部材
２８              パンチチング孔
３０，５０        ガセットプレート
３２              溝
３４              摺動部材
３６，３８，４０  ボルト
４２              整流板
４４              パンチングメタル
４６              連結部材
５１              フランジ
５２，５４        ボルト
５５              プレート部
６０              ダクトスペース
６２              開口
６４              収納部
６６              排気部
７０，８０        フィルタファンユニット（ＦＦＵ）
８２              形鋼
８３              突起
８４              係止部
８６              当接部
８８              挟み込み部材
９０              ボルト
９２              ナット    
【図１】
2005060015.tif 000003
【図２】
2005060015.tif 000004
【図３】
2005060015.tif 000005
【図４】
2005060015.tif 000006
【図５】
2005060015.tif 000007
【図６】
2005060015.tif 000008
【図７】
2005060015.tif 000009
【図８】
2005060015.tif 000010
【図９】
2005060015.tif 000011